(57)【要約】【課題】引き出し式のグリルユニットを備える自動車用通風口アセンブリを提供する。【解決手段】通風口アセンブリAは、グリルユニット１と、ダッシュボードBに取り付けられた筐体２とを備える。グリルユニット１は、グリルワーク１１と、引き出し部１２が一体形成されており、グリルワーク１１を支持するためのグリルワーク保持部１０とを備える。グリルユニット１は、摺動手段によって所定の範囲内で筐体２に出し入れできるように該筐体２に出し入れ可能に取り付けられている。ストッパ１６は、引き出し部の外面に配置され、フック２１は筐体の内面に配置されている。ストッパ１６は、グリルユニットが引き出された場合にフック２１によって掛止され、これにより、好ましくない、グリルユニットが筐体から完全に取り外されることが防止される。【選択図】図１ａ
2004521817.tif 000002
【特許請求の範囲】
【請求項１】
グリルユニットと筐体とを備える自動車用通風口アセンブリであって、
前記グリルユニットは、グリルワークと、前記グリルワークを支持するとともに引き出し部が一体形成されているグリルワーク保持部とを備えており、摺動手段によって所定の範囲内で前記筐体に出し入れされ、
前記引き出し部の外面部分にはストッパが設けられ、前記筐体の内面部分にはフックが設けられ、前記グリルユニットが引き出された場合に該フックによって該ストッパが掛止されることにより、好ましくない、該筐体からの該グリルユニットの完全な取り外しが防止されることを特徴とする自動車用通風口アセンブリ。
【請求項２】
前記摺動手段は、
前記引き出し部の底面に沿って該底面に配置されたラックと、
前記筐体に配置され、回転力伝達ベルトを介してモータと連動するとともに前記ラックに歯合するリダクションギアトレインと、
前記引き出し部の２つの側面に沿って該２つの側面のそれぞれの外面部分に配置された可動レールと、
前記筐体の２つの側面に沿って２つの該側面のそれぞれの内面部分に配置されており、前記可動レールと連結して該可動レールと該引き出し部との該筐体に対する移動を案内する固定レールと、
を備えることを特徴とする請求項１に記載の通風口アセンブリ。
【請求項３】
前記摺動手段は、
それぞれシャフトを備えており、前記引き出し部の２つの側面にそれぞれ配置されたギアであって、前記各シャフトの終端に結合されたトーションスプリングシャフトを介して互いに連結された２つのピニオンギアと、
前記２つのピニオンギアのそれぞれに歯合するリダクションギアと、
前記引き出し部の２つの側面のそれぞれの外面部分のうち、前記各ピニオンギアの下方部分において、該各側面に沿って配置された可動レールと、
前記筐体の２つの側面に沿って、該各側面の内面部分にそれぞれ配置されたラックと、
前記筐体の２つの側面に沿って、該各側面の内面部分にそれぞれ配置されたレールであって、前記各ピニオンギアが前記各ラックと歯合し、該レールとラックとの間に定義された通路を前記可動レールが移動するように、該可動レールに係合する固定レールと、
前記引き出し部の後端部に設けられた追加ストッパと、
前記筐体に設けられて前記追加ストッパをキャッチまたはリリースするキャッチと、
を備えることを特徴とする請求項１に記載の通風口アセンブリ。
【請求項４】
前記トーションスプリングと、前記シャフトと、前記ピニオンギアと、前記リダクションギアとは、前記引き出し部の後部のうちの下部分に配置され、前記ラックは、前記筐体のそれぞれの内面に沿って、該内面の外面部分のうち、前記固定レールの下に配置されている、ことを特徴とする請求項３に記載の通風口アセンブリ。
【請求項５】
前記摺動手段は、
前記引き出し部の２つの側面のそれぞれに沿って該側面に配置されたラックと、
前記引き出し部の２つの側面のそれぞれに沿って該側面に配置されたレールであって、該各ラックの上方に配置された可動レールと、
前記筐体の２つの側面のそれぞれの内面部分に配置され、前記各可動レールと係合する固定レールと、
前記筐体の２つの側面のそれぞれの内面部分に配置され、前記各ラックと歯合するリダクションギアと、
前記筐体の底面に設けられた支持ロッドに挿通されたトーションスプリングを介して回転自在にヒンジ止めされており、通常は該トーションスプリングによってグリルユニットが引き出される方向にバイアスされているアクチュエーティングレバーと、
前記引き出し部の後端に配置された追加ストッパと、
前記筐体の後部に配置され、前記追加ストッパをキャッチまたはリリースするキャッチと、
を備えることを特徴とする請求項１に記載の通風口アセンブリ。
【請求項６】
２以上の前記グリルユニットが前記ハウジングに収納され、各グリルユニットが他のグリルユニットとは独立して出し入れ可能に構成されていることを特徴とする請求項１に記載の通風口アセンブリ。
【請求項７】
前記引き出し部には、容器が一体形成されていることを特徴とする請求項１に記載の通風口アセンブリ。
【請求項８】
前記グリルユニットが備える前記グリルワーク保持部の上板に、エアフィルタを挿入するためのシートスロットが形成されていることを特徴とする請求項１に記載の通知口アセンブリ。
【請求項９】
前記引き出し部には、引き出し部を自動的に保持するための保持部が備えられていることを特徴とする請求項１に記載の通風口アセンブリ。
【発明の詳細な説明】
【技術分野】
【０００１】
本発明は、概して、温風及び冷風を自動車の乗客室に供給して該乗客室への空調効果を得るための通風口アセンブリに関し、より詳細には、筐体へ適宜出し入れ可能に設計された可動グリルユニットを備えており、モータの操作または手動操作によって該グリルユニットを所定の範囲内で出し入れし、該グリルユニットが筐体から完全に取り出される、といった好ましくないことを防止することができ、またユーザに対して筐体へのグリルユニットの出し入れを選択的に許容し、さらにユーザがグリルユニットや筐体の内部を清掃したい場合は該筐体の開放を許容する通風口アセンブリに関する。この通風口アセンブリは、グリルユニットの後部に芳香剤等の所望のものを収容するための引き出し部と、グリルユニットのシーティングスロット（seating slot）に着脱可能に配置されたエアフィルタとを備えており、このために新鮮、清潔かつ香りのよい風を乗客室に供給する。
【背景技術】
【０００２】
当業者によく知られているように、ほとんどの自動車は、汚れた空気を乗客室から大気中に放出し、また、新鮮な温風あるいは冷風を該乗客室に供給するためのヒータやエアコンディショナ等の空調機器を典型的に備える。空調機器から提供された新鮮な空気は、ダッシュボードに配置された通風口アセンブリのグリルワーク（grill work）を介して乗客室に供給される。
【０００３】
グリルワークを備える従来の通風口アセンブリは、乗客室へ温風または冷風を案内する最終的な通風路として機能し、刃物形状（blade shape）を有する複数のグレーティングバー（grating bar）を備えており、ダッシュボードの通風路に固定されたグリルフレームに移動自在に取り付けられている。
このため、グリルワークから吹き出される風の方向を変更したい場合、固定グリルフレーム内に制限された角度で、手動によってグレーティングバー上方向、下方向、左方向あるいは右方向に動かす。
【０００４】
このように、従来の自動車用通風口アセンブリでは、固定グリルフレーム中のグレーティングバーを所望の方向に向けて制限角度内で傾けることにより、グリルワークの風吹き出し方向が調整される。このため、グリルフレームの後部にある通風路の内部を清掃することは実質的に不可能であり、この結果大量の塵屑が、自動車が生産されてから時間が経過すると通風路に堆積する。堆積した塵屑は、ヒータまたはエアコンディショナ等の空調機器が動作している間に新鮮な温風または冷風とともに乗客室に噴出され、結果として搭乗者の健康に悪影響をおよぼし、特に、搭乗者の呼吸器官に悪影響をもたらして該呼吸器官に様々な疾病をひきおこす。従来の通風口アセンブリは、その周辺へエアフィルタを配置することができないので、運転中の運転手を含むほとんどの搭乗者は、グリルワークから供給された風に含まれる塵屑を不可避的に吸い込む。
【０００５】
上記のような、通風路内部の清掃の困難性やエアフィルタの配置の困難性等の問題に加え、芳香剤、殺菌剤及び／または脱臭剤等の空気の質を向上させる作用剤を固定するための手段の欠如、といった問題がある。このような作用剤は、ダッシュボードの上板や、あるいは乗客室内のリアシート後部に備えられているリアシェルフに配置されたり、または、作用剤の内容物が風とともに乗客室内を循環するようにグリルワークの前面に取り付けられる。しかしながら、作用剤をこのように取り付けると、乗客室の内部が乱雑になり、運転手の安全運転の妨げとなる。
【発明の開示】
【発明が解決しようとする課題】
【０００６】
実開昭６１−１３７０１２号公報には、固定されたグリルフレームを備えた従来の通風口アセンブリが備えていた問題点を解決するために発明者によって提供された自動車の空調機器用の通風口ノズルが開示されている。この通風口ノズルは、グリルワークを備えるグリルフレームに相当し、以下「グリルフレーム」と総称する。このグリルフレームは、所望のときに筐体から引っ張り出すことによって完全に該筐体から引っ張り出されるように、取り外し自在に自動車のダッシュボードに取り付けられている。すなわち、このグリルフレームは取り外し自在な構成を有し、ユーザは、グリルワークを備えるグリルフレームを、ダッシュボードに取り付けられた筐体に取り付けたり、あるいは筐体から取り外したりすることができる。しかし、このような取り外し自在な構成では、グリルフレームは筐体に安定して取り付けられておらず、自動車が実質的に振動するような速度で走行した場合、搭乗者を驚かすような騒音をグリルフレームの周囲から発生させる。加えて、グリルフレームが繰り返して筐体に取り付けられたり、また筐体から取り外されることにより、グリルフレームと筐体との両方の組み立て部品（assembly parts）がダメージを受けたり損傷したりし、このため場合によっては、ユーザは損傷したグリルフレーム及び／または筐体を新品に交換する必要があった。従って、このグリルフレームはユーザにとって不便なものであり、グリルフレーム及び／または筐体を購入するために余計な費用を捻出させた。上記グリルフレームが有する問題は、該グリルフレームが筐体から完全に取り外され、取り外されたままの状態を維持した場合に損傷したり紛失したりすることに起因する。
【０００７】
本発明は上記従来技術の問題点に鑑みてなされ、引き出し式のグリルユニットを備え、モータ操作または手動操作により、筐体と該グリルユニットとに設けられたストッパによって定められる所定の範囲内で該グリルユニットを適宜該筐体へ出し入れするように設計されており、該ストッパにより、好ましくない、筐体からのグリルユニットの完全な取り外しを防止することができ、これによってユーザに対してグリルユニットを選択的に筐体に出し入れすることを許容し、またユーザがグリルユニットと筐体の内部とを清掃したい場合は筐体を開放し、さらに、グリルユニットの後部に配置されており芳香剤等の所望のものを収容するための引き出し部とグリルユニットのシーティングスロットに着脱可能に取り付けられたエアフィルタとを備え、新鮮、清潔かつ香りのよい風を乗客室に提供することができる自動車用通風口アセンブリを提供することを目的とする。
【課題を解決するための手段】
【０００８】
上記目的を達成するため、本発明は、グリルユニットと筐体とを備える自動車用通風口アセンブリであって、前記グリルユニットは、グリルワークと、前記グリルワークをその内部で支持するとともに引き出し部が一体形成されているグリルワーク保持部とを備えており、摺動手段によって所定の範囲内で前記筐体に出し入れされ、前記引き出し部の外面部分にはストッパが設けられ、前記筐体の内面部分にはフックが設けられ、前記グリルユニットが引き出された場合に該フックによって該ストッパが掛止されることにより、好ましくない、該筐体からの該グリルユニットの完全な取り出しを防止することを特徴とする自動車用通風口アセンブリを提供する。
【発明の効果】
【０００９】
本発明によれば、引き出し式のグリルユニットを備える自動車用通風口アセンブリを提供することができる。
【発明を実施するための最良の形態】
【００１０】
ここで、図面について言及する。同一または近似の構成要素には、全図を通して同一の参照番号を付す。
【００１１】
図１ａは、第１の実施の形態に係る自動車用通風口アセンブリの構成を示す分解斜視図であり、図１ｂは、第１の実施の形態に係る自動車用通風口アセンブリの動作を説明するための斜視図である。図２は、第１の実施の形態に係る通風口アセンブリの動作を説明するための断面図である。図３は、本発明の第２の実施の形態に係る通風口アセンブリの構成を示す斜視図である。図４は、本発明の第３の実施の形態に係る、シーティングスロットを備える通風口アセンブリの構成を示す斜視図である。図５ａは、本発明の第４の実施の形態に係る通風口アセンブリの、ワンタッチ動作を説明するための分解斜視図であり、図５ｂは、本発明の第４の実施の形態に係る通風口アセンブリの変形例を説明するための、図５ａに対応する図であり、図５ｃは、本発明の第５の実施の形態に係る通風口アセンブリの構成を示す断面図である。図６は、自動車のダッシュボードのうち、所望の部分に取り付けられた本発明に掛る通風口アセンブリを示す斜視図である。図示するように、本発明に係る自動車用通風口アセンブリは、グリルユニット１と、筐体２と、グリルユニット１を筐体２に対して反対方向に移動させるための摺動手段とを備える。
【００１２】
本発明の第１の実施の形態に係る通風口アセンブリが備えるグリルユニット１は、グリルワーク１１と、後部に引き出し部１２が一体形成されており、グリルフレームを形成するグリルワーク保持部１０とを備える。グリルワーク保持部１０は、グリルワーク１１が通風口アセンブリを介して自動車の乗客室へと流入する風の方向を制御するように該グリルワーク１１を保持する。引き出し部１２は、芳香剤、殺菌剤及び／または消臭剤を収容するように、上部を開放した箱形状を有する。このグリルユニット１は、所定の範囲内で筐体２へ出し入れ自在に該筐体２に取り付けられている。
【００１３】
第１の実施の形態の通風口アセンブリの構成の詳細について、図１ａ、１ｂ及び図２を参照して説明すると、この通風口アセンブリAは、グリルユニット１と筐体２とを備える。グリルユニット１は、グリルワーク１１と、該グリルワーク１１を保持し、引き出し部１２が一体形成されているグリルワーク保持部１０とを備えており、所定の範囲内で摺動手段によって筐体２へ出し入れ自在に該筐体２に取り付けられている。引き出し部１２の外面には、ストッパ１６が設けられており、筐体２の内面には、フック２１が設けられている。筐体２のフック２１は、グリルユニット１が筐体２から排出された場合、グリルユニット１のストッパ１６を掛止して該グリルユニット１が筐体２から完全に排出されることを防止する。
【００１４】
引き出し部１２の後面１７には、通風口１８が設けられており、空調装置（図示せず）からの風の流入をスムーズにする。第１の実施の形態では、図１ａに示すように、芳香剤４を収容するための容器１９が引き出し部１２に一体形成されている。第２の実施の形態では、容器１９の代わりに、図３に示すように、芳香剤４を引き出し部１２内で直接的に保持するような２つの保持部４ａが該引き出し部１２に設けられている。
【００１５】
なお、引き出し部１２には芳香剤の代わりに消臭剤を収容してもよい。あるいは、芳香剤と消臭剤との両方を引き出し部１２に収容してもよい。
【００１６】
空調機器が動作している間、該空調機器から新鮮な風が通風路及び筐体２の内部を介してグリルユニット１を通過するので、風がグリルワーク１１から乗客室に流入した場合、芳香剤４の香りの成分が該乗客室に放出される。従って、この通風口アセンブリは、新鮮で心地のよいインテリア雰囲気を乗客室内に維持することができる。
【００１７】
第１の実施の形態に係る摺動手段は、引き出し部１２の下部の底面に沿って該底面に配置されたラック１４を備える。筐体２には、リダクションギアトレイン３２が設けられ、このリダクションギア３２は回転力伝達ラバーベルト（power transmission rubber belt）３１を介して駆動手段３が備える可逆モータ３３と連動する。このリダクションギアトレイン３２は、引き出し部１２が備えるラック１４と歯合し、これによってグリルユニット１が、モータ３３の回転力を利用して筐体２に対して移動する。引き出し部１２の２つの側面のそれぞれの外面部分には、可動レール１５が設けられている。可動レール１５のそれぞれは、固定レール２０に摺動可能に固定されており、固定レール２０は可動レール１５と引き出し部１２との筐体２に対する直線動作を案内する。
【００１８】
駆動手段３は、モータ３３と、ゴムから構成される回転力伝達ベルト３１と、複数のリダクションギアを含むリダクションギアトレイン３２とを備える。この駆動手段３は、所定の範囲内でグリルユニット３を筐体２に対して反対方向に移動させ、筐体２の前部から該グリルユニット１を出し入れする。駆動手段３が動作する間、モータ３３の回転力がベルト３１を介してリダクションギアトレイン３２に伝達される。リダクションギア３２は、グリルユニット１が備える引き出し部１２の底部に沿って該底部に設けられたラック１４と歯合しており、該ラック１４を所定の範囲内で直線的に移動させてグリルユニット１を筐体２から出し入れする。グリルユニット１が筐体２からの引き出し動作をする際に、引き出し部１２の外面部分に設けられたストッパ１６と、筐体２の内面部分に設けられたフック２とが掛合することにより、好ましくない、筐体２からグリルユニット１が完全に排出されることが防止される。このため、グリルユニット１は、排出ポジションからホームポジションへと移動して筐体２内に確実に収納される。
【００１９】
駆動手段３では、リダクションギアトレイン３２が回転力伝達ベルト３１を介してモータ３３と連動して動作するので、ユーザが、図３に示すように、モータ３３を駆動することなく手動によってグリルユニット１を筐体２へ出し入れするようにすることもできる。グリルユニット１は、手動によって出し入れされても、モータの動作によって出し入れされる場合と同様に、筐体２に対して直線的に移動することができる。
【００２０】
図４に示す第３の実施の形態のように、グリルワーク保持部１０の上板にシーティングスロット１３を形成してエアフィルタ５を差し込むようにしてもよい。この場合、エアフィルタ５は、グリルユニット１を通過する風から塵屑を除去し、これによって風を乗客室内部へ送り出す前にクリーンにする。したがって、この実施の形態の通風口アセンブリは、乗客室内部に新鮮、クリーンかつ心地よい内部雰囲気を保つ。
【００２１】
なお、エアフィルタ５の代わりに、芳香剤または消臭剤をシーティングスロット１３に差し込むようにしてもよい。
【００２２】
以下、上述したグリルユニット１を備える通風口アセンブリAの動作による効果について、詳細に説明する。
【００２３】
通風口アセンブリAを自動車のダッシュボードBに固定するため、まず、筐体２をダッシュボードに形成された通風路に取り付ける。グリルユニット１の引き出し部１２が備える２つの可動レール１５が、それぞれ、２つの固定レール２０に沿って摺動するように、該可動レール１５を該固定レール２０に掛合し、グリルユニット１を筐体２に収納する。
【００２４】
空調機器が動作している状態で自動車を運転した場合、該空調機器からの新鮮な風がグリルユニット１を介して乗客室に放出される。この場合、風は、芳香剤４を通過してエアフィルタ５を通過するので、芳香剤４の香りの成分を含み、エアフィルタ５によって清浄化される。従って、この通風口アセンブリは、新鮮、クリーンかつ香りのついた風を乗客室に供給し、乗客室内に新鮮かつ心地よい雰囲気を保つ。
【００２５】
可逆モータ３３に接続された図示しない制御スイッチを操作して駆動手段３が備える可逆モータ３の回転方向を操作すると、まず、モータ３３の回転力が、回転力伝達ベルト３１を介してリダクションギアトレイン３２に伝達され、次に、リダクションギアトレイン３２に歯合しているラック１４へと伝達される。従って、グリルユニット１は、筐体２の２つの側面に沿って該側面の内面部分に備えられた２つの固定レール２０と、引き出し部１２の２つの側面に沿って該側面の外面部分に備えられた２つの可動レール１５とに案内されて該筐体２から排出される。
【００２６】
グリルユニット１が筐体２の前部から所定の長さだけ排出されることによって上記のように筐体２が開放された場合、通風路の一部や筐体２の内部の清掃が容易である。加えて、グリルユニット１が備える引き出し部１２の内部に配置された芳香剤４を、容易に交換可能にする。グリルユニット１の位置を、排出ポジションから筐体２内に収容されるホームポジションへと戻したい場合、駆動手段３が備えるモータ３３を、制御スイッチによって反対の方向に回転駆動する。この場合、排出されたグリルユニット１は、筐体２を閉鎖するとともにホームポジションに戻るまで直線的に移動する。収納されたグリルユニット１を備える通風口アセンブリは、新鮮、クリーンかつ香りのついた風を乗客室に供給し、上述したように、乗客室の内部に新鮮かつ心地のよい雰囲気を保つ。
【００２７】
本発明の他の実施の形態においては、駆動手段３を用いる代わりに、ワンタッチ手動操作によって通風口アセンブリのグリルユニット１を出し入れできるようにしている。すなわち、第４の実施の形態では、通風口アセンブリが備える摺動手段は、図５ａに示すように、それぞれがシャフト４３を備える２つのピニオンギア４１を備える。この２つのピニオンギア４１は、それぞれ、引き出し部１２の２つの側面のうち、外面部分に取り付けられ、２つのピニオンギア４１のそれぞれの一端に設けられたシャフト４３に接続された（connected）トーションコイルスプリング４２によって互いに連結されている。引き出し部１２のそれぞれの側面の外面部分で、リダクションギア３２ａがピニオンギア４１と歯合し、ピニオンギア４１の回転速度が低減される。引き出し部１２のそれぞれの側面に沿って、該側面の外面部分には可動レール１５が配置されている。筐体２のそれぞれの外側に沿って、該側面の内面部分には固定レール２０が配置されており、ピニオンギア４１とラック１４aとが歯合し、可動レール１５がラック１４ａと該固定レール２０との間に定められた通路を該可動レール１５が移動可能に収納されるように、該固定レール２０と該可動レール１５とが係合する。引き出し部１２の後端には、追加ストッパ１６−１が設けられており、該追加ストッパ１６−１をキャッチまたはリリースするためのキャッチ１６−１ａが筐体２に設けられている。図５ａに示す摺動手段により、ワンタッチ手動操作によってグリルユニット１を手動で筐体２に出し入れすることができる。
【００２８】
第４の実施の形態の変形例においては、図５ｂに示すように、トーションコイルスプリング４２、シャフト４３、ピニオンギア４１及びリダクションギア３２ａが引き出し部１２の後部のうち、下側部分に配置されている。この場合、ラック１４ａが、固定レール２０の下側に、筐体２の各側面に沿って該側面の内面部分に配置されている。この変形例では、筐体２の両側面に設けられた２つのピニオンギア４１が筐体２の２つのラック１４ａにそれぞれ歯合し、可動レール１５がラック１４ａと固定レール２０との間に定められた通路に摺動自在に保持されている。この変形例は、引き出し部１２の空間効率を向上させ、ユーザが引き出し部１２から芳香剤４を容易に出し入れできるようにする。
【００２９】
上記変形例では、引き出し部１２の外面部分にはストッパ１６が設けられており、このストッパ１６はグリルユニット１が筐体２から排出された場合に該筐体２の内面部分に設けられたフック２１に掛止される。従って、好ましくない、グリルユニット１の筐体２からの完全な取り外しが防止される。
【００３０】
本発明では、ユーザがワンタッチ手動操作によって手動でグリルユニット１を筐体２に出し入れするための摺動手段を、図５ｃに示すように具体化するようにしてもよい。図５ｃに示す、第５の実施の形態に係る通風口アセンブリの摺動手段は、ラック１４と、引き出し部１２の２つの側面に沿って該側面に設けられた可動レール１５とを備え、ラック１４は可動レール１５上に配置されている。筐体２の各側面の内面部分には固定レール２０とリダクションギア３２ｂとが設けられており、それぞれ移動自在レール１５とラック１４とに係合する。筐体２の底面には、支持ロッド４５が設けられており、この支持ロッド４５はトーションコイルスプリング４２ａを挿通しており、また、該トーションコイルスプリング４２ａを介してアクチュエーティングレバー４６が回転自在に固定されている。アクチュエーティングレバー４６は通常はグリルユニット１が引き出される方向と反対方向にトーションコイルスプリング４２ａによって付勢されている。追加ストッパ１６−２がさらに引き出し端１２の後部に設けられ、キャッチ１６−２ａが追加ストッパ１６−２をキャッチまたはリリースするように筐体２の後部に設けられている。この摺動手段により、ユーザが、グリルユニット１を所定の範囲内で筐体２に手動のワンタッチ操作で出し入れすることができるようにする。
【００３１】
第５の実施の形態では、ラック１４、可動レール１５及び固定レール２０がアーチ形状を形成するような曲率半径（radius of curvature）で曲線を描いており、グリルユニット１は、アーチ状に摺動し、該グリルユニット１が図示するように筐体２から排出された場合にグリルワーク保持部がダッシュボード前面の下部分に到達する。これにより、グリルユニット１が備える引き出し部１２を利用することが容易となる。
【００３２】
第５の実施の形態では、通風口アセンブリが備えるグリルユニット１が、駆動手段３の代わりにワンタッチ手動操作によって筐体２に出し入れされるように設計されている。
【００３３】
本発明に係る通風口アセンブリは、図６に示すように、２以上のグリルユニット１が筐体２に収納され、１のグリルユニット１は、他のグリルユニットとは独立して筐体２に出し入れされる。
【００３４】
いくつかの実施例が上述したように説明されたが、様々な変更、追加及び代替が添付のクレームに開示された本発明の範囲及び精神から逸脱しないようにして可能であることが、当業者にとっては明らかである。
【産業上の利用可能性】
【００３５】
上述したように、本発明は引き出し式のグリルユニットを備える自動車用の通風口アセンブリを提供する。この引き出し式のグリルユニットは、ダッシュボードに固定された筐体に適宜出し入れ可能に設計されている。この通風口アセンブリにおいては、グリルユニットが、モータの操作または手動操作によって所定の範囲内で筐体と対称的に摺動し、好ましくない、筐体からのグリルユニットの完全な取り外しが防止される。このため、ユーザが選択的にグリルユニットを筐体に出し入れすることができるようにし、ユーザがグリルユニットと筐体の内部とを清掃したい場合は、該筐体を開放する。この通風口アセンブリはまた、グリルユニットの後部に芳香剤や消臭剤等の所望のものを収容するための引き出し部と、グリルユニットのグリルワーク保持部の上板に形成されたシーティングスロットに取り外し可能に装着されたエアフィルタとを備えている。従って、通風口アセンブリは、新鮮、清潔及び香りのよい空気をパッセンジャー・コンパートメントに供給し、自動車のパッセンジャー・コンパートメント内部を新鮮かつ快適な雰囲気に保つ。
【図面の簡単な説明】
【００３６】
【図１】図１ａは、本発明の第１の実施の形態に係る自動車用通風口アセンブリの構成を示す分解斜視図であり、図１ｂは、本発明の第１の実施の形態に係る自動車用通風口アセンブリの動作を説明するための分解斜視図である。
【図２】本発明の第１の実施の形態に係る通風口アセンブリの動作を説明するための断面図である。
【図３】本発明の第２の実施の形態に係る通風口アセンブリの構成を示す斜視図である。
【図４】本発明の第３の実施の形態に係る、シーティングスロットを備える通風口アセンブリの構成を示す斜視図である。
【図５】図５ａは、本発明の第４の実施の形態に係る通風口アセンブリの、ワンタッチ動作を説明するための分解斜視図であり、図５ｂは、本発明の第４の実施の形態に係る通風口アセンブリの変形例を説明するための、図５ａに対応する図であり、図５ｃは、本発明の第５の実施の形態に係る通風口アセンブリの構成を示す断面図である。
【図６】自動車のダッシュボードの、所望の位置に取り付けられた本発明に係るダッシュボードを示す斜視図である。
【符号の説明】
【００３７】
１    グリルユニット
２    ハウジング
３    駆動手段
４    芳香剤
４ａ  保持部
５    エアフィルタ
１０  グリルワーク保持部
１１  グリルワーク
１２  引き出し部
１３  シーティングスロット
１４  ラック
１５  可動レール
１６  ストッパ
１７  後面
１８  通風口
１９  容器
２０  固定レール
２１  フック
３１  回転力伝達ベルト
３２  リダクションギアトレイン
３３  モータ
４１  ピニオンギア
４２  トーションコイルスプリング
４３  シャフト
４５  支持ロッド
４６  アクチュエーティングレバー
【国際公開パンフレット】
2004521817.tif 000003
2004521817.tif 000004
2004521817.tif 000005
2004521817.tif 000006
2004521817.tif 000007
2004521817.tif 000008
2004521817.tif 000009
2004521817.tif 000010
2004521817.tif 000011
2004521817.tif 000012
2004521817.tif 000013
2004521817.tif 000014
2004521817.tif 000015
2004521817.tif 000016
2004521817.tif 000017
2004521817.tif 000018
2004521817.tif 000019
2004521817.tif 000020
2004521817.tif 000021
2004521817.tif 000022
2004521817.tif 000023
2004521817.tif 000024
2004521817.tif 000025
2004521817.tif 000026
2004521817.tif 000027
【国際調査報告】
2004521817.tif 000028